Podtech/llm-jp-corpus-v4-ja_patent huggingface dataset:
【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
生体高分子を含む標的分子の調査方法であり、前記方法は、
不混和性キャリア媒体における消化媒体の微小液滴の流れを、前記生体高分子に１つずつ経路で接触させることによって、前記微小液滴内において前記生体高分子を前記生体高分子の構成単一モノマー単位へ漸進的に消化させるステップと、
少なくとも一部は単一モノマー単位を包含する前記微小液滴を、前記生体高分子の周りから除去するステップと、
前記微小液滴を、前記経路に沿って検出区域まで更に送達するステップと、
前記検出区域で前記微小液滴内の前記モノマー単位を同定し、前記モノマー単位から前記モノマー単位の化学構造を推測するステップと、
を含むことを特徴とする、生体高分子を含む標的分子の調査方法。
【請求項２】
前記生体高分子はタンパク質である、請求項１に記載の方法。
【請求項３】
前記検出区域は、電磁放射入射源及び光検出器を用いて放射を検出するように構成される、請求項１又は２に記載の方法。
【請求項４】
前記電磁放射入射源は、レーザ又はＬＥＤである、請求項３に記載の方法。
【請求項５】
前記検出区域は、前記経路の端部に検出位置が設けられた表面を含む、請求項１〜４の何れか一項に記載の方法。
【請求項６】
前記表面はウェルを含む、請求項５に記載の方法。
【請求項７】
前記微小液滴を、毛細管のアレイを含む前記検出区域に導入するステップを更に含み、
各微小液滴が前記毛細管のアレイを通じて積み重ねられ移動する、請求項１〜６の何れか一項に記載の方法。
【請求項８】
前記微小液滴は、圧力駆動流、エレクトロウェッティング又は光学的に媒介されるEWODの1つ又は組合せによって駆動される、請求項１〜７の何れか一項に記載の方法。
【請求項９】
前記経路の少なくとも一部が、光学的に媒介されるエレクトロウェッティングマイクロ
流体空間であり、前記エレクトロウェッティングマイクロ流体空間は、
第１複合壁であり、
第１透明基板、
前記第１透明基板上の、７０〜２５０ｎｍの厚さを有する第１透明導体層、
前記第１透明導体層上の、３００〜１０００ｎｍの厚さを有し、４００〜１０００ｎ
ｍの波長範囲の電磁照射によって活性化される光活性層、及び
前記第１透明導体層上の、１２０〜１６０ｎｍの厚さを有する第１誘電体層
を含む第１複合壁と、
第２複合壁であり、
第２基板、
前記第２基板上の、７０〜２５０ｎｍの厚さを有する第２透明導体層、及び
前記第２透明導体層上の、２５〜５０ｎｍの厚さを有する第２誘電体層
を含む第２複合壁と、
によって構成され又は画定され、
前記経路は、前記第１複合壁及び前記第２複合壁を所定の間隔だけ離間して保持する１つ以上のスペーサを含むことができる、請求項１〜８の何れか一項に記載の方法。
【手続補正書】
【提出日】令和3年5月27日(2021.5.27)
【手続補正１】
【補正対象書類名】特許請求の範囲
【補正対象項目名】全文
【補正方法】変更
【補正の内容】
【特許請求の範囲】
【請求項１】
乾燥機能化タンパク質生成物の調製プロセスであって、
肉を粉砕して、５ｍｍ未満の粒径を有する粉砕された肉を形成すること、
前記粉砕された肉を水、食品等級のアルカリ組成物、食品等級のアルカリ組成物、及び食品等級の塩と混合して、約６．５〜約９．５の範囲のｐＨを有する機能化タンパク質ブラインを形成し、前記混合は、前記肉のｐＨを約５．３未満にするような方法で前記肉を酸に曝露しないように実行すること、並びに
前記機能化タンパク質ブラインを乾燥させて、乾燥機能化タンパク質生成物を形成すること、を含む、プロセス。
【請求項２】
前記乾燥機能化タンパク質生成物が、デンプン及びガムが添加されていない場合、タンパク質１ｇあたり２００ｇを超えるオイルというエマルジョン容量を有する、請求項１に記載のプロセス。
【請求項３】
前記乾燥機能化タンパク質生成物が、デンプン及びガムが添加されていない場合、Ｋ−カラギーナンハイドロコロイド分離を示さないか、またはイオタ−カラギーナンハイドロコロイド分離を示さないか、またはグアーガムハイドロコロイド分離を示さない、請求項１に記載のプロセス。
【請求項４】
前記肉が家禽肉を含む、請求項１に記載のプロセス。
【請求項５】
前記肉が鶏肉及び七面鳥から選択される、請求項１に記載のプロセス。
【請求項６】
前記乾燥機能化タンパク質生成物が、デンプン及びガムが添加されていない場合、９０ｇを超えるゲル硬度を有するか、または約９０ｇ〜約３００ｇ、もしくは約９０ｇ〜約２００ｇ、もしくは約９０ｇ〜約１５０ｇのゲル硬度を有する、請求項４または５に記載のプロセス。
【請求項７】
前記乾燥機能化タンパク質生成物が、デンプン及びガムが添加されていない場合、タンパク質１ｇあたり６０ｍｌの泡を超える発泡能力を有する、請求項４または５に記載のプロセス。
【請求項８】
前記乾燥機能化タンパク質生成物が、デンプン及びガムが添加されていない場合、０．１  １／ｓの剪断速度で測定したとき、３Ｐａ・ｓより大きい粘度を有する、請求項４または５に記載のプロセス。
【請求項９】
前記乾燥機能化タンパク質生成物が、デンプン及びガムが添加されていない場合、１．０  １／ｓの剪断速度で測定したとき、０．３Ｐａ・ｓより大きい粘度を有する、請求項４または５記載のプロセス。
【請求項１０】
前記肉が牛肉である、請求項１に記載のプロセス。
【請求項１１】
前記乾燥機能化タンパク質生成物が、デンプン及びガムが添加されていない場合、０．１  ｌ／ｓの剪断速度で測定したとき、１Ｐａ・ｓより大きい粘度を有する、請求項１０に記載のプロセス。
【請求項１２】
前記乾燥機能化タンパク質生成物が、デンプン及びガムが添加されていない場合、１．０  １／ｓの剪断速度で測定したとき、０．２Ｐａ・ｓより大きい粘度を有する、請求項１０に記載のプロセス。
【請求項１３】
前記乾燥機能化タンパク質生成物が、デンプン及びガムが添加されていない場合、４００ｇを超えるゲル硬度を有するか、または約４５０ｇ〜約６５０ｇ、もしくは約５００ｇ〜約５５０ｇのゲル硬度を有する、請求項１０に記載のプロセス。
【請求項１４】
請求項１、４、５及び１０のいずれか１項に記載のプロセスにより製造された乾燥機能化タンパク質生成物。
【請求項１５】
前記乾燥機能化タンパク質生成物が、デンプン及びガムが添加されていない、請求項１４に記載の乾燥機能化タンパク質生成物。
【請求項１６】
再構成機能化タンパク質製剤の調製プロセスであって：
請求項１４に記載の乾燥機能化タンパク質生成物を、約３重量％〜約３５重量％の肉含有量を有する再構成機能化タンパク質製剤を形成するのに十分な水で再構成すること、を含む、プロセス。
【請求項１７】
請求項１６に記載のプロセスによって作られた再構成機能化タンパク質製剤。
【請求項１８】
飲料及びソース（サラダドレッシングなど）からなる群より選択される食物系に前記再構成機能化タンパク質製剤を組み込むことを含む、請求項１７に記載の再構成機能化タンパク質製剤を使用するプロセス。
【請求項１９】
請求項１７に記載の再構成機能化タンパク質製剤を使用するプロセスであって、前記肉が家禽であり、前記再構成機能化タンパク質製剤を、パン及び冷凍発泡デザート（例えば、アイスクリーム、フローズンカスタード、フローズンヨーグルト、シャーベット、及びジェラートなど）からなる群より選択される食物系に組み込むことを含む、プロセス。
【請求項２０】
前記肉が鶏肉及び七面鳥から選択される、請求項１９に記載の方法。
【手続補正書】
【提出日】令和3年6月21日(2021.6.21)
【手続補正１】
【補正対象書類名】特許請求の範囲
【補正対象項目名】全文
【補正方法】変更
【補正の内容】
【特許請求の範囲】
【請求項１】
移植対象からの試料を評価する方法であって、
（ａ）対象からの試料中の全ｃｆ−ＤＮＡの量を決定すること、ここで、対象は、移植合併症を有するか、これを有することが疑われるか、これを既に有しているか、またはこれを有するリスクがある；ならびに
（ｂ）全ｃｆ−ＤＮＡの量を報告および／または記録すること
を含む、前記方法。
【請求項２】
（ｃ）全ｃｆ−ＤＮＡの量を、全ｃｆ−ＤＮＡの閾値または少なくとも１つの前の全ｃｆ−ＤＮＡ量と比較すること、および／または、
（ｄ）全ｃｆ−ＤＮＡの閾値および／または少なくとも１つの前の全ｃｆ−ＤＮＡ量と比較して決定した全ｃｆ−ＤＮＡの量に基づいて、対象が、移植合併症を有すること、または移植合併症のリスクが増大しているものと決定すること、
をさらに含む、請求項１に記載の方法。
【請求項３】
移植対象を評価する方法であって、
（ａ）対象からの試料中の全ｃｆ−ＤＮＡの量を得ること、ここで、対象は、移植合併症を有するか、これを有することが疑われるか、これを既に有しているか、またはこれを有するリスクがある；
（ｂ）全ｃｆ−ＤＮＡの量を、全ｃｆ−ＤＮＡの閾値および／または少なくとも１つの前の全ｃｆ−ＤＮＡ量と比較すること；ならびに
（ｃ）全ｃｆ−ＤＮＡの閾値および／または少なくとも１つの前の全ｃｆ−ＤＮＡ量と比較して決定された全ｃｆ−ＤＮＡの量に基づいて、対象のための処置またはモニタリングレジメンを決定すること、
任意に、全ｃｆ−ＤＮＡの閾値および／または少なくとも１つの前の全ｃｆ−ＤＮＡ量と比較して決定された全ｃｆ−ＤＮＡの量に基づいて、対象を、移植合併症を有するものとして、または移植合併症を有するリスクが増大しているものとして、分類することをさらに含む、前記方法。
【請求項４】
対象が、
（ｉ）機械的サポートを受けているかまたはこれを必要としている、
（ｉｉ）移植合併症を有すると決定されている、および／または、
（ｉｉｉ）前に対象に適用された１つ以上のさらなる検査により、移植合併症を有すると決定されたか、または対象に対する１つ以上のさらなる検査を行うことをさらに含む、請求項１〜３のいずれか一項に記載の方法。
【請求項５】
（ｉ）ドナー特異的ｃｆ−ＤＮＡの量を決定または比較することなく、評価または決定が行われる、および／または、
（ｉｉ）移植合併症が、心停止、感染または死亡である、請求項１〜４のいずれか一項に記載の方法。
【請求項６】
（ｉ）全ｃｆ−ＤＮＡ量が、レポートにおいて提供され、任意に、また対象からの試料中のものであった少なくとも１つの前の全ｃｆ−ＤＮＡの量も含むレポートにおいて、量が提供される、および／または、
（ｉｉ）全ｃｆ−ＤＮＡ量が、データベースにおいて記録され、任意に、データベースがまた、対象からの試料中のものであった少なくとも１つの前の全ｃｆ−ＤＮＡの量を含む、請求項１〜５のいずれか一項に記載の方法。
【請求項７】
全ｃｆ−ＤＮＡの量が、
（ａ）複数の単一ヌクレオチドバリアント（ＳＮＶ）標的について、試料またはその一部に対して、少なくとも２組のプライマーペアにより、ポリメラーゼ連鎖反応（ＰＣＲ）定量アッセイなどの増幅ベースの定量アッセイを行うこと、ここで、各々のプライマーペアは、フォワードプライマーおよびリバースプライマーを含み、ここで、少なくとも２組のプライマーペアのうちの一方は、プライマー中に、ＳＮＶ標的の一方のアレルと比較して３’の最後から２番目にミスマッチを含むが、該ＳＮＶ標的の別のアレルと比較して３’の二重のミスマッチは含まず、該ＳＮＶ標的の一方のアレルを特異的に増幅し、少なくとも２組のプライマーペアの他方は、該ＳＮＶ標的の他方のアレルを特異的に増幅する、ならびに
（ｂ）結果に基づいて全ｃｆ−ＤＮＡの量を評価すること、
任意に、ドナーの遺伝子型が既知である、または、ドナーの遺伝子型が不明である、
により決定されるかまたは得られる、請求項１〜６のいずれか一項に記載の方法。
【請求項８】
全ｃｆ−ＤＮＡの量は、
（ｉ）増幅ベースの定量アッセイを用いて決定するかまたは得られ、任意に、増幅ベースの定量アッセイが、定量リアルタイムＰＣＲ（ｑＲＴ−ＰＣＲ）である、または、
（ｉｉ）配列決定、例えばハイスループットな配列決定または次世代配列決定を用いて決定するかまたは得ることができる、
請求項１〜７のいずれか一項に記載の方法。
【請求項９】
（ｉ）８または９ｎｇ／ｍＬまたはそれより多い量が、心停止または死亡のリスクを表す、および／または、
（ｉｉ）２０ｎｇ／ｍＬまたはそれより多い量が、感染または増大した感染のリスクの存在を表す、および／または、
（ｉｉｉ）少なくとも１つの量が、臓器移植の後４、５、６、７または８日以内に対象から採取された試料において決定される、および／または、
（ｉｖ）閾値よりも高いか、および／またはより早い時点からの量と比較して増大した全ｃｆ−ＤＮＡの量が、増大したリスク、または増大中のリスクを表す、および／または、
（ｖ）閾値よりも低いか、および／またはより早い時点からの量と比較して低下した全ｃｆ−ＤＮＡの量が、低下したリスク、または低下中のリスクを表す、請求項１〜８のいずれか一項に記載の方法。
【請求項１０】
モニタリングレジメンを決定することは、対象において全ｃｆ−ＤＮＡの量を経時的にもしくはその後の時点において決定すること、または対象にかかるモニタリングを示唆することを含み、任意に、対象を、１ヵ月ごと、または２ヵ月ごとに評価する、請求項３〜９のいずれか一項に記載の方法。
【請求項１１】
（ｉ）対象を、６ヵ月まで、８ヵ月まで、１０ヵ月まで、または１年までにわたり評価する、および／または、
（ｉｉ）閾値、またはより早い時点からの量と比較して全ｃｆ−ＤＮＡの量が増大する場合、試料採取の間の時間が短縮される、
請求項１〜１０のいずれか一項に記載の方法。
【請求項１２】
全ｃｆ−ＤＮＡのさらなる量を、記録または報告する、任意に、さらなる量が、レポートにおいて報告される、または、さらなる量が、データベースにおいて記録される、請求項１〜１１のいずれか一項に記載の方法。
【請求項１３】
（ｉ）モニタリングレジメンを決定することが、対象を評価するために、１つ以上のさらなる検査を使用すること、またはこれの使用を示唆することを含む、および／または、
（ｉｉ）処置レジメンを決定することが、対象のための処置を選択または示唆することを含む、および／または、
（ｉｉｉ）処置レジメンを決定することが、対象を処置することを含む、および／または、
（ｉｖ）処置が、本明細書において提供される処置のいずれか１つを含む、および／または、
（ｖ）処置レジメンを決定することが、処置についての情報を対象に提供することを含む、
（ｖｉ）処置が、抗感染処置である、抗拒絶処置である、または、心停止処置である、請求項３〜１２のいずれか一項に記載の方法。
【請求項１４】
試料が、血液、血漿または血清試料である、任意に、血液試料が、血漿試料である、請求項１〜１３のいずれか一項に記載の方法。
【請求項１５】
移植対象が、心臓移植対象である、請求項１〜１４のいずれか一項に記載の方法。
【手続補正書】
【提出日】令和3年6月18日(2021.6.18)
【手続補正１】
【補正対象書類名】特許請求の範囲
【補正対象項目名】全文
【補正方法】変更
【補正の内容】
【特許請求の範囲】
【請求項１】
癌を治療するための医薬組成物であって、
以下のアミノ酸置換、Ｌ８０Ｆ、Ｒ８１Ｄ、Ｌ８５Ｖ、Ｉ８６Ｖ、およびＩ９２Ｆを含むＩＬ−２ムテインであって、その番号付けが、配列番号２の野生型ヒトＩＬ−２に従う、ＩＬ−２ムテインを含み、
抗ＰＤ−１抗体もしくは阻害剤、または抗ＰＤ−Ｌ１抗体もしくは阻害剤との組み合わせで投与されることによって特徴付けられる、
医薬組成物。
【請求項２】
癌を治療するための医薬組成物であって、
抗ＰＤ−１抗体もしくは阻害剤、または抗ＰＤ−Ｌ１抗体もしくは阻害剤を含み、
以下のアミノ酸置換、Ｌ８０Ｆ、Ｒ８１Ｄ、Ｌ８５Ｖ、Ｉ８６Ｖ、およびＩ９２Ｆを含むＩＬ−２ムテインであって、その番号付けが、配列番号２の野生型ヒトＩＬ−２に従う、ＩＬ−２ムテインとの組み合わせで投与されることによって特徴付けられる、
医薬組成物。
【請求項３】
前記抗ＰＤ−１抗体もしくは阻害剤が、ニボルマブ、ＢＭＳ−９３６５５８、ＭＤＸ−１１０６、ＯＮＯ−４５３８、ＡＭＰ２２４、ＣＴ−０１１、およびＭＫ−３４７５（ペンブロリズマブ）、セミプリマブ（ＲＥＧＮ２８１０）、ＳＨＲ−１２１０（ＣＴＲ２０１６０１７５およびＣＴＲ２０１７００９０）、ＳＨＲ−１２１０（ＣＴＲ２０１７０２９９およびＣＴＲ２０１７０３２２）、ＪＳ−００１（ＣＴＲ２０１６０２７４）、ＩＢＩ３０８（ＣＴＲ２０１６０７３５）、ＢＧＢ−Ａ３１７（ＣＴＲ２０１６０８７２）、ならびに米国特許公開第２０１７／００８１４０９号に記載されているＰＤ−１抗体からなる群から選択される、請求項１又は２に記載の医薬組成物。
【請求項４】
前記抗ＰＤ−Ｌ１抗体もしくは阻害剤が、アテゾリズマブ、アベルマブ、およびデュルバルマブからなる群から選択される、請求項１又は２に記載の医薬組成物。
【請求項５】
前記ＩＬ−２ムテインが、Ｆ４２Ａ置換をさらに含み、その番号付けが、配列番号２の野生型ヒトＩＬ−２に従う、請求項１〜４のいずれか１項に記載の医薬組成物。
【請求項６】
前記ＩＬ−２ムテインが、Ｋ４３Ｎ置換をさらに含み、その番号付けが、配列番号２の野生型ヒトＩＬ−２に従う、請求項１〜４のいずれか１項に記載の医薬組成物。
【請求項７】
前記ＩＬ−２ムテインが、Ｆ４２Ａ置換をさらに含み、その番号付けが、配列番号２の野生型ヒトＩＬ−２に従う、請求項１〜４のいずれか１項に記載の医薬組成物。
【請求項８】
前記ＩＬ−２ムテインが、Ｙ４５Ａ置換をさらに含み、その番号付けが、配列番号２の野生型ヒトＩＬ−２に従う、請求項１〜４のいずれか１項に記載の医薬組成物。
【請求項９】
前記ＩＬ−２ムテインが、Ｅ６２Ａ置換をさらに含み、その番号付けが、配列番号２の野生型ヒトＩＬ−２に従う、請求項１〜４のいずれか１項に記載の医薬組成物。
【請求項１０】
前記ＩＬ−２ムテインが、融合タンパク質である、請求項１〜９のいずれか１項に記載の方法。
【請求項１１】
前記融合タンパク質が、Ｆｃ抗体断片に連結された前記ＩＬ−２を含む、請求項１０に記載の医薬組成物。
【請求項１２】
前記Ｆｃ抗体断片が、ヒトＦｃ抗体断片である、請求項１１に記載の医薬組成物。
【請求項１３】
前記Ｆｃ抗体断片が、Ｎ２９７Ａ置換を含む、請求項１１に記載の医薬組成物。
【請求項１４】
前記融合タンパク質が、アルブミンに連結された前記ＩＬ−２を含む、請求項１０に記載の医薬組成物。
【請求項１５】
前記癌が、前立腺癌、卵巣癌、乳癌、子宮内膜癌、多発性骨髄腫、黒色腫、リンパ腫、小細胞肺癌を含む肺癌、腎臓癌、肝臓癌、結腸癌、結腸直腸癌、膵臓癌、胃癌、および脳癌からなる群から選択される、請求項１〜１４のいずれか１項に記載の医薬組成物。
【請求項１６】
前記癌が、結腸癌である、請求項１５に記載の医薬組成物。
【請求項１７】
前記ＩＬ−２ムテインが、野生型ヒトＩＬ−２と比較して、ＩＬ−２Ｒβに対して増加した結合能力を示す、請求項１〜１６のいずれか１項に記載の医薬組成物。
【請求項１８】
前記ＩＬ−２ムテインが、野生型ヒトＩＬ−２と比較して、ＩＬ−２Ｒβに対してより高い結合親和性を示す、請求項１〜１６のいずれか１項に記載の医薬組成物。
【請求項１９】
前記ＩＬ−２ムテインが、野生型ヒトＩＬ−２と比較して、ＣＤ２５に対して減少した結合親和性を示す、請求項５〜９のいずれか１項に記載の医薬組成物。
【請求項２０】
薬学的に許容される担体を更に含む、請求項１〜１９のいずれかに記載の医薬組成物。
【手続補正書】
【提出日】令和3年6月14日(2021.6.14)
【手続補正１】
【補正対象書類名】特許請求の範囲
【補正対象項目名】全文
【補正方法】変更
【補正の内容】
【特許請求の範囲】
【請求項１】
患者においてリビドー及び／又は性的満足感を高めるための組成物であって、治療有効量の単離されたヒト間葉系幹細胞の母集団を含む、組成物。
【請求項２】
患者において性機能低下を治療するための組成物であって、前記組成物が、治療有効量の単離されたヒト間葉系幹細胞の母集団を含み、かつ、短期又は長期の療法として患者に投与され、前記性機能低下が、活動性低下性欲障害、オルガスム障害、及び性的興奮障害からなる群から選択される性障害である、組成物。
【請求項３】
前記性機能低下が、活動性低下性欲障害である、請求項２に記載の組成物。
【請求項４】
患者が、ヒトである、請求項１〜３のいずれか一項に記載の組成物。
【請求項５】
患者が、女性である、請求項１〜４のいずれか一項に記載の組成物。
【請求項６】
間葉系幹細胞が、骨髄由来間葉系幹細胞、臍帯血由来間葉系幹細胞、脂肪組織由来間葉系幹細胞である、又は人工多能性幹細胞（ｉＰＳＣ）に由来する、請求項１〜５のいずれか一項に記載の組成物。
【請求項７】
間葉系幹細胞が、同種幹細胞である、請求項１〜６のいずれか一項に記載の組成物。
【請求項８】
間葉系幹細胞が、自家幹細胞である、請求項１〜６のいずれか一項に記載の組成物。
【請求項９】
間葉系幹細胞が、非間葉系幹細胞と同時投与される、請求項１〜８のいずれか一項に記載の組成物。
【請求項１０】
間葉系幹細胞が、ＳＴＲＯ−１を発現しない、請求項１〜９のいずれか一項に記載の組成物。
【請求項１１】
間葉系幹細胞が、ＣＤ４５を発現しない、請求項１〜１０のいずれか一項に記載の組成物。
【請求項１２】
間葉系幹細胞が、線維芽細胞表面マーカーを発現しない又は線維芽細胞形態を有する、請求項１〜１１のいずれか一項に記載の組成物。
【請求項１３】
間葉系幹細胞が、遺伝子操作されていない、請求項１〜１２のいずれか一項に記載の組成物。
【請求項１４】
組成物が、単回投与で投与される、請求項１〜１３のいずれか一項に記載の組成物。
【請求項１５】
組成物が、２回以上の投与で投与される、請求項１〜１３のいずれか一項に記載の組成物。
【請求項１６】
組成物が、６カ月毎に投与される、請求項１〜１５のいずれか一項に記載の組成物。
【請求項１７】
組成物が、少なくとも年に１回投与される、請求項１〜１５のいずれか一項に記載の組成物。
【請求項１８】
組成物が、全身的に投与される、請求項１〜１７のいずれか一項に記載の組成物。
【請求項１９】
組成物が、注入又は直接注射により投与される、請求項１〜１８のいずれか一項に記載の組成物。
【請求項２０】
組成物が、静脈内に、動脈内に、又は腹腔内に投与される、請求項１〜１９のいずれか一項に記載の組成物。
【請求項２１】
組成物が、静脈内に投与される、請求項２０に記載の組成物。
【請求項２２】
組成物が、間葉系幹細胞約２０×１０６個の投与量で投与される、請求項１〜２１のいずれか一項に記載の組成物。
【請求項２３】
組成物が、間葉系幹細胞約１００×１０６個の投与量で投与される、請求項１〜２１のいずれか一項に記載の組成物。
【請求項２４】
間葉系幹細胞が、ヒトドナーから得られ、ヒトドナーを患者にＭＨＣマッチングさせることが、間葉系幹細胞を患者に投与する前に行われない、請求項１〜２３のいずれか一項に記載の組成物。
【請求項２５】
組成物による治療が、リビドー及び／又は性的満足感を高める又は患者において性機能低下を少なくとも２５％減少させる、請求項１〜２４のいずれか一項に記載の組成物。
【請求項２６】
リビドー及び／又は性的満足感の増加又は性機能低下の減少が、女性の性的な生活の質の質問票に従って測定される、請求項２５に記載の組成物。
【手続補正書】
【提出日】令和3年7月29日(2021.7.29)
【手続補正１】
【補正対象書類名】特許請求の範囲
【補正対象項目名】全文
【補正方法】変更
【補正の内容】
【特許請求の範囲】
【請求項１】
好酸球カチオン性タンパク質 (ECP)および好中球エラスターゼ (ELANE)を含む、治療用組成物。
【請求項２】
ANXA6、DEFA、CASP3、ANXA6およびDEFA、ANXA6およびCASP3、または、DEFAおよびCASP3をさらに含む、請求項1に記載の組成物。
【請求項３】
ECP、ELANE、ANXA6、DEFA、およびCASP3を含む、請求項1に記載の組成物。
【請求項４】
前記ECPおよびELANEが架橋されている、請求項1〜3のいずれか一項に記載の組成物。
【請求項５】
ECPが、SEQ ID NO:1のアミノ酸配列に対して少なくとも95%同一であるアミノ酸配列を有する、請求項1〜4のいずれか一項に記載の組成物。
【請求項６】
ELANEが、SEQ ID NO:2のアミノ酸配列に対して少なくとも95%同一であるアミノ酸配列を有する、請求項1〜5のいずれか一項に記載の組成物。
【請求項７】
前記ECPおよびELANEが基材に結合している、請求項1〜6のいずれか一項に記載の組成物。
【請求項８】
前記基材がナノ粒子である、請求項7に記載の組成物。
【請求項９】
請求項1〜8のいずれか一項に記載の組成物を含む、がんを処置するための医薬。
【請求項１０】
前記がんが、膀胱がん、血液がん、骨がん、骨髄がん、脳／神経系がん、乳がん、結腸直腸がん、食道がん、胃腸がん、頭部がん、腎がん、肝がん、肺がん、鼻咽頭がん、頸部がん、卵巣がん、膵がん、前立腺がん、皮膚がん、胃がん、精巣がん、舌がん、または子宮がんである、請求項9に記載の医薬。
【請求項１１】
前記組成物が0.001 mg/kg体重から10 mg/kg体重の間の用量で投与されるように、用いられることを特徴とする、請求項9または10に記載の医薬。
【請求項１２】
第2の抗がん療法と組み合わせて用いられることを特徴とする、請求項9〜11のいずれか一項に記載の医薬。
【請求項１３】
前記第2の抗がん療法が、化学療法、放射線療法、免疫療法、標的療法、または抗ホルモン療法である、請求項12に記載の医薬。
【請求項１４】
CD95を切断するセリンプロテアーゼを含む、CD95分解によってがん細胞を死滅させるための医薬であって、該セリンプロテアーゼの有効量と該がん細胞が接触するように用いられることを特徴とする、医薬。
【請求項１５】
前記セリンプロテアーゼがELANEである、請求項14に記載の医薬。
【請求項１６】
前記セリンプロテアーゼが、(i) SEQ ID NO:3（カテプシンG (CTSG)）に対して90%同一であるポリペプチド、(ii) SEQ ID NO:4（プロテイナーゼ3 (PRTN3)）に対して90%同一であるポリペプチド、(iii) SEQ ID NO:5（マウス好中球エラスターゼ (mELANE)）に対して90%同一であるポリペプチド、(iv) SEQ ID NO:6（ブタ膵エラスターゼ (pELA1)）に対して90%同一であるポリペプチド、および／または、SEQ ID NO:8（ラット膵エラスターゼ (rELA1/RPE)）に対して90%同一であるポリペプチドである、請求項14または15に記載の医薬。
【請求項１７】
前記セリンプロテアーゼがpELA1である、請求項16に記載の医薬。
【請求項１８】
前記セリンプロテアーゼが、プロテアーゼ活性を有するプロテアーゼ断片である、請求項14〜17のいずれか一項に記載の医薬。
【請求項１９】
前記セリンプロテアーゼが融合タンパク質である、請求項14〜18のいずれか一項に記載の医薬。
【請求項２０】
腫瘍内に投与されることを特徴とする、請求項14〜19のいずれか一項に記載の医薬。
【請求項２１】
CD95分解によってがん細胞を死滅させる方法に用いるための、カテプシンG (CTSG)、プロテイナーゼ3 (PRTN3)、マウス好中球エラスターゼ (mELANE)、またはブタ膵エラスターゼ (pELA1) を含む1つまたは複数のポリペプチド成分を含む、CD95分解を標的にするプロテアーゼ組成物であって、該プロテアーゼ組成物の有効量と該がん細胞が接触するように用いられることを特徴とする、プロテアーゼ組成物。
【請求項２２】
前記1つまたは複数のポリペプチド成分がmELANEを含む、請求項21に記載の組成物。
【請求項２３】
前記1つまたは複数のポリペプチド成分がpELA1を含む、請求項21に記載の組成物。
物。
【請求項２４】
前記ポリペプチド成分が、基材またはターゲティングリガンドに結合している、請求項21〜23のいずれか一項に記載の組成物。
【請求項２５】
前記基材がナノ粒子である、請求項24に記載の組成物。
【手続補正書】
【提出日】令和3年6月9日(2021.6.9)
【手続補正１】
【補正対象書類名】特許請求の範囲
【補正対象項目名】全文
【補正方法】変更
【補正の内容】
【特許請求の範囲】
【請求項１】
大麻抽出物、及び任意で１つ以上の医薬上許容される担体、希釈剤、アジュバント、賦形剤又はそれらの任意の組み合わせを含む医薬組成物であって、大麻抽出物は、カンナビノイド画分及びテルペン画分を含み、カンナビノイド画分はΔ９−テトラヒドロカンナビノール（ＴＨＣ）、カンナビジオール（ＣＢＤ）及びカンナビノール（ＣＢＮ）を含み、テルペン画分は抽出物の少なくとも３重量％の量で存在する、医薬組成物。
【請求項２】
ＴＨＣは、抽出物の５重量％から９０重量％の量で存在する、請求項１に記載の医薬組成物。
【請求項３】
ＣＢＤは、抽出物の１重量％から２０重量％の量で存在する、請求項１又は２に記載の医薬組成物。
【請求項４】
ＣＢＮは、抽出物の１重量％から２０重量％の量で存在する、請求項１〜３のいずれか１項に記載の医薬組成物。
【請求項５】
テルペン画分が、リナロール、ミルセン、及びネロリドールの１つ以上を含む、請求項１〜４のいずれか１項に記載の医薬組成物。
【請求項６】
テルペン画分が、テルペン画分の１重量％から５０重量％の量のベータ−ミルセンを含む、請求項１〜５のいずれか１項に記載の医薬組成物。
【請求項７】
ＴＨＣが主要なカンナビノイドである、請求項１〜６のいずれか１項に記載の医薬組成物。  
【請求項８】
ＴＨＣ：ＣＢＮの比が５：１から２０：１である、請求項１〜７のいずれか１項に記載の医薬組成物。
【請求項９】
ＴＨＣ：ＣＢＤの比が１０：１から５０：１である、請求項１〜８のいずれか１項に記載の医薬組成物。
【請求項１０】
大麻抽出物が大麻油である、請求項１〜９のいずれか１項に記載の医薬組成物。
【請求項１１】
テルペン画分が、大麻抽出物の５０重量％未満の量で存在する、請求項１〜１０のいずれか１項に記載の医薬組成物。
【請求項１２】
カンナビノイド画分：テルペン画分の比が８：１から３３：１である、請求項１〜１１のいずれか１項に記載の医薬組成物。
【請求項１３】
睡眠障害を治療するための請求項１〜１１のいずれか１項に記載の医薬組成物。
【請求項１４】
請求項１〜１２のいずれか１項に記載の医薬組成物の有効量を含む医薬。
【請求項１５】
請求項１〜１２のいずれか１項に記載の医薬組成物の有効量を含む睡眠障害治療剤。
【請求項１６】
睡眠障害の治療用医薬の調製における、請求項１〜１２のいずれか１項に記載の医薬組成物の使用。
【請求項１７】
睡眠障害の治療剤の調製における大麻抽出物の使用であって、大麻抽出物は、カンナビノイド画分及びテルペン画分を含み、カンナビノイド画分はΔ９−テトラヒドロカンナビノール（ＴＨＣ）、カンナビジオール（ＣＢＤ）及びカンナビノール（ＣＢＮ）を含み、テルペン画分は抽出物の少なくとも３重量％の量で存在する、使用。
【手続補正書】
【提出日】令和3年6月18日(2021.6.18)
【手続補正１】
【補正対象書類名】特許請求の範囲
【補正対象項目名】全文
【補正方法】変更
【補正の内容】
【特許請求の範囲】
【請求項１】
Ｈ３Ｋ９ヒストンメチルトランスフェラーゼＳＵＶ３９Ｈ１の阻害剤を含む、がんを処置するための医薬組成物であって、がんの処置において、前記Ｈ３Ｋ９ヒストンメチルトランスフェラーゼＳＵＶ３９Ｈ１の阻害剤が、少なくとも１種の免疫チェックポイント分子／タンパク質のモジュレーターと組み合わせて使用される、医薬組成物。
【請求項２】
前記Ｈ３Ｋ９ヒストンメチルトランスフェラーゼＳＵＶ３９Ｈ１の阻害剤が、有機小分子、アプタマー、イントラボディ、ポリペプチド、又はＨ３Ｋ９ヒストンメチルトランスフェラーゼＳＵＶ３９Ｈ１遺伝子発現の阻害剤から選択される、請求項１に記載の医薬組成物。
【請求項３】
前記Ｈ３Ｋ９ヒストンメチルトランスフェラーゼＳＵＶ３９Ｈ１の阻害剤が、ケトシンである、請求項１又は２に記載の医薬組成物。
【請求項４】
前記Ｈ３Ｋ９ヒストンメチルトランスフェラーゼＳＵＶ３９Ｈ１の阻害剤が、アンチセンスオリゴヌクレオチド構築物、ｓｉＲＮＡ、ｓｈＲＮＡ及びリボザイムから選択されるＨ３Ｋ９ヒストンメチルトランスフェラーゼＳＵＶ３９Ｈ１遺伝子発現の阻害剤である、請求項１に記載の医薬組成物。
【請求項５】
前記少なくとも１種の免疫チェックポイント分子が、阻害性免疫チェックポイント分子及び／又は刺激性免疫チェックポイント分子である、請求項１〜４のいずれか一項に記載の医薬組成物。
【請求項６】
前記阻害性免疫チェックポイント分子が、ＰＤ−Ｌ１、ＰＤ１、Ａ２ＡＲ、Ｂ７−Ｈ３、Ｂ７−Ｈ４、ＢＴＬＡ、ＣＴＬＡ−４、ＣＤ２７７、ＩＤＯ、ＫＩＲ、ＬＡＧ−３、ＴＩＭ−３  ＴＩＧＩＴ、ＶＩＳＴＡ、ＣＤ９６、ＣＤ１１２Ｒ、ＣＤ１６０、ＣＤ２４４（又は２Ｂ４）ＤＣＩＲ（Ｃ型レクチン表面受容体）、ＩＬＴ３、ＩＬＴ４（免疫グロブリン様転写物）、ＣＤ３１（ＰＥＣＡＭ−１）（Ｉｇ様Ｒファミリー）、ＣＤ３９、ＣＤ７３、ＣＤ９４／ＮＫＧ２、ＧＰ４９ｂ（免疫グロブリンスーパーファミリー）、ＫＬＲＧ１、ＬＡＩＲ−１（白血球関連免疫グロブリン様受容体１）ＣＤ３０５、ＰＤ−Ｌ２及びＳＩＲＰαから選択される、請求項５に記載の医薬組成物。
【請求項７】
前記刺激性免疫チェックポイント分子が、ＣＤ２７、ＣＤ４０、ＯＸ４０、ＧＩＴＲ、ＩＣＯＳ、ＴＮＦＲＳＦ２５、４１ＢＢ、ＨＶＥＭ、ＣＤ２８、ＴＭＩＧＤ２、ＣＤ２２６、２Ｂ４（ＣＤ２４４）及びリガンドＣＤ４８、Ｂ７−Ｈ６  Ｂｒａｎｄｔ（ＮＫリガンド）、ＬＩＧＨＴ（ＣＤ２５８、ＴＮＦＳＦ１４）及びＣＤ２８Ｈから選択される、請求項５又は６に記載の医薬組成物。
【請求項８】
前記Ｈ３Ｋ９ヒストンメチルトランスフェラーゼＳＵＶ３９Ｈ１の阻害剤が、少なくとも１種の阻害性免疫チェックポイントモジュレーター及び少なくとも１種の刺激性免疫チェックポイントモジュレーターと組み合わせて使用される、請求項１〜７のいずれか一項に記載の医薬組成物。
【請求項９】
前記免疫チェックポイントモジュレーターが、抗体又は融合タンパク質である、請求項１〜８のいずれか一項に記載の医薬組成物。
【請求項１０】
前記免疫チェックポイントモジュレーターが、抗ＰＤ−１又は抗ＰＤ−Ｌ１抗体である、請求項１〜９のいずれか一項に記載の医薬組成物。
【請求項１１】
Ｈ３Ｋ９ヒストンメチルトランスフェラーゼＳＵＶ３９Ｈ１の阻害剤及び少なくとも１種の免疫チェックポイントモジュレーターを含有する、キットオブパーツ（Ｋｉｔ  ｏｆ  ｐａｒｔｓ）調製物であって、前記Ｈ３Ｋ９ヒストンメチルトランスフェラーゼＳＵＶ３９Ｈ１の阻害剤及び前記少なくとも１種の免疫チェックポイントモジュレーターが、がんの処置において同時、別々の又は逐次使用される、キットオブパーツ調製物。
【手続補正書】
【提出日】令和3年6月18日(2021.6.18)
【手続補正１】
【補正対象書類名】特許請求の範囲
【補正対象項目名】全文
【補正方法】変更
【補正の内容】
【特許請求の範囲】
【請求項１】
ＧＬＰ−１／ＧＬＰ−１Ｒを調節制御することによって疾患を治療するための、有効量のプラスミノーゲンを含む医薬組成物。
【請求項２】
前記疾患は、糖質代謝障害に関連する疾患、脂肪代謝障害に関連する疾患、またはＧＬＰ−１／ＧＬＰ−１Ｒに関連する神経系疾患である、請求項１に記載の医薬組成物。
【請求項３】
前記疾患は、糖尿病、糖尿病性腎症、糖尿病性神経痛、糖尿病性網膜症、高脂血症、アテローム性動脈硬化症、高血圧、冠状動脈性心臓病、心筋梗塞、脳血栓症、脳出血、脳塞栓症、肥満、脂肪肝、肝硬変、骨粗鬆症、認知障害、パーキンソン症候群、脊髄側策硬化症、アルツハイマー病、炎症性腸疾患、消化不良、および胃腸潰瘍からなる群より選ばれる一つ以上の疾患である、請求項１または２に記載の医薬組成物。
【請求項４】
ＧＬＰ−１／ＧＬＰ−１Ｒの機能を調節制御するための、有効量のプラスミノーゲンを含む医薬組成物。
【請求項５】
前記プラスミノーゲンはＧＬＰ−１および／またはＧＬＰ−１Ｒの発現を促進する、請求項４に記載の医薬組成物。
【請求項６】
ＧＬＰ−１／ＧＬＰ−１Ｒの関連疾患を治療するための、有効量のプラスミノーゲンを含む医薬組成物。
【請求項７】
前記ＧＬＰ−１／ＧＬＰ−１Ｒの関連疾患は、血糖値の上昇、耐糖能異常、血中脂質上昇、肥満、脂肪肝、および認知障害からなる群より選ばれる一つ以上を含む、請求項６に記載の医薬組成物。
【請求項８】
前記ＧＬＰ−１／ＧＬＰ−１Ｒの関連疾患は、糖尿病、糖尿病合併症、高脂血症、アテローム性動脈硬化症、高血圧、冠状動脈性心臓病、心筋梗塞、脳血栓症、脳出血、脳塞栓症、肥満、脂肪肝、肝硬変、骨粗鬆症、認知障害、パーキンソン症候群、脊髄側策硬化症、アルツハイマー病、炎症性腸疾患、消化不良、および胃腸潰瘍からなる群より選ばれる一つ以上を含む、請求項６または７に記載の医薬組成物。
【請求項９】
前記プラスミノーゲンは配列番号２と少なくとも８０％、８５％、９０％、９５％、９６％、９７％、９８％または９９％の配列同一性を有するタンパク質である、請求項１〜８のいずれか１項に記載の医薬組成物。
【請求項１０】
前記プラスミノーゲンは、プラスミノーゲン活性フラグメントを含み、且つ依然としてプラスミノーゲン活性を有するタンパク質である、請求項１〜８のいずれか１項に記載の医薬組成物。
【請求項１１】
前記プラスミノーゲンは、Ｇｌｕ−プラスミノーゲン、Ｌｙｓ−プラスミノーゲン、ミニプラスミノーゲン、マイクロプラスミノーゲン、δ−プラスミノーゲン、またはそれらのプラスミノーゲン活性を保持した変異体である、請求項１〜８のいずれか１項に記載の医薬組成物。
【請求項１２】
前記プラスミノーゲンが一種以上のその他の薬剤または治療方法と併用される、請求項１〜１１のいずれか１項に記載の医薬組成物。
【請求項１３】
前記プラスミノーゲンは、糖尿病を治療するための薬剤または治療、アテローム性動脈硬化症を治療するための薬剤または治療、心脳血管疾患を治療するための薬剤または治療、血栓症を治療するための薬剤または治療、高血圧を治療するための薬剤または治療、血中脂質を低下させるための薬剤または治療、脂肪肝を治療するための薬剤または治療、パーキンソン病を治療するための薬剤または治療、アルツハイマー病を治療するための薬剤または治療、および抗感染薬または治療からなる群より選ばれる一つ以上の薬剤または治療と併用して投与される、請求項１２に記載の医薬組成物。
【手続補正書】
【提出日】令和3年6月18日(2021.6.18)
【手続補正１】
【補正対象書類名】特許請求の範囲
【補正対象項目名】全文
【補正方法】変更
【補正の内容】
【特許請求の範囲】
【請求項１】
処理された基材上に装飾ニッケルコーティングを堆積させるためのニッケル電気メッキ浴であって、前記電気メッキ浴は、少なくとも１つのニッケルイオン源、少なくとも１つのアミノ酸、及び／又はアミノ酸ではない少なくとも１つのカルボン酸を含むことを特徴とし、前記アミノ酸の総濃度は１〜１０ｇ／ｌの範囲であり、前記アミノ酸ではないカルボン酸の総濃度は１０〜４０ｇ／ｌの範囲であり、前記電気メッキ浴はホウ酸を含まず、前記ニッケルイオンの総濃度は５５〜８０ｇ／ｌの範囲であり、前記ニッケル電気メッキ浴は、７．５〜４０ｇ／ｌの範囲の塩化物含有量を有する、ニッケル電気メッキ浴。
【請求項２】
前記少なくとも１つのアミノ酸は、βアラニン、グリシン、グルタミン酸、ＤＬ−アスパラギン酸、トレオニン、バリン、グルタミン又はＬ−セリンからなる群から選択されることを特徴とする、請求項１に記載のニッケル電気メッキ浴。
【請求項３】
前記アミノ酸ではない少なくとも１つのカルボン酸は、モノカルボン酸、ジカルボン酸又はトリカルボン酸からなる群から選択されることを特徴とする、請求項１又は２に記載のニッケル電気メッキ浴。
【請求項４】
前記アミノ酸ではない少なくとも１つのカルボン酸は、酒石酸、グリコール酸、リンゴ酸、酢酸、乳酸、クエン酸、コハク酸、プロパン酸、ギ酸又はグルタル酸からなる群から選択されることを特徴とする、請求項３に記載のニッケル電気メッキ浴。
【請求項５】
前記電気メッキ浴は、ともにアミノ酸ではない少なくとも２つの異なるカルボン酸を含み、前記２つの異なるカルボン酸の総濃度は、１０〜４０ｇ／ｌの範囲であることを特徴とする、請求項１から４の何れか一項に記載のニッケル電気メッキ浴。
【請求項６】
前記電気メッキ浴は、少なくとも１つのアミノ酸と、アミノ酸ではない１つのカルボン酸とを含み、前記アミノ酸の総濃度は１〜１０ｇ／ｌの範囲であり、前記アミノ酸ではないカルボン酸の総濃度は１０〜４０ｇ／ｌの範囲であることを特徴とする、請求項１から５の何れか一項に記載のニッケル電気メッキ浴。
【請求項７】
前記ニッケルイオンの総濃度は、６０〜７５ｇ／ｌの範囲であることを特徴とする、請求項１から６の何れか一項に記載のニッケル電気メッキ浴。
【請求項８】
前記電気メッキ浴のｐＨ値は、２〜６の範囲であることを特徴とする、請求項１から７の何れか一項に記載のニッケル電気メッキ浴。
【請求項９】
以下の方法ステップ：
ｉ）処理された基材を、請求項１から８の何れか一項に記載のニッケル電気メッキ浴と接触させるステップと、
ｉｉ）少なくとも１つのアノードを、前記ニッケル電気メッキ浴と接触させるステップと、
ｉｉｉ）前記処理された基材及び前記少なくとも１つのアノードに電圧を印加するステップと、
ｉｖ）前記処理された基材上に装飾ニッケルコーティングを電着させるステップと
を含む、処理された基材上に装飾ニッケルコーティングを堆積させる方法。
【請求項１０】
前記堆積させる方法は、３０℃〜７０℃の作業温度範囲で実施されることを特徴とする、請求項９に記載の装飾ニッケルコーティングを堆積させる方法。
【請求項１１】
前記堆積させる方法は、１〜７アンペア／ｄｍ２（ＡＳＤ）の作業電流密度範囲で実施されることを特徴とする、請求項９又は１０に記載の装飾ニッケルコーティングを堆積させる方法。
【請求項１２】
前記堆積させる方法は、５〜５０分の範囲の電圧印加及び後続の装飾ニッケルコーティングの電着（方法ステップｉｉｉ）及びｉｖ））の作業時間で実施されることを特徴とする、請求項９から１１の何れか一項に記載の装飾ニッケルコーティングを堆積させる方法。
【請求項１３】
前記電気メッキ浴は、１〜１０ｇ／ｌの範囲の濃度の、少なくとも１つのサッカリン及び／又はサッカリン塩の形態のサッカリン誘導体；及び、０．１〜５ｇ／ｌの範囲の総濃度の、少なくとも１つのスルホン酸及び／又はスルホン酸塩の形態のスルホン酸の誘導体をさらに含むことを特徴とする、請求項９から１２の何れか一項に記載の装飾ニッケルコーティングを堆積させる方法。
【請求項１４】
前記電気メッキ浴は、１０〜３００ｍｇ／ｌの範囲の濃度の少なくとも１つのジオール；又は、５〜３５０ｍｇ／ｌの範囲の総濃度の、ピリジニウムプロピルスルホベタイン（ＰＰＳ）又はその誘導体（ＰＰＳ−ＯＨなど）の群から選択される少なくとも１つの添加剤をさらに含むことを特徴とする、請求項９から１２の何れか一項に記載の装飾ニッケルコーティングを堆積させる方法。
【請求項１５】
請求項９から１４の何れか一項に記載の方法を実施することによる、光沢のある、半光沢の、サテンのような、マットな、又は非導電性粒子を含むニッケルコーティングを堆積させるための、請求項１から８の何れか一項に記載のニッケル電気メッキ浴の使用。
【手続補正書】
【提出日】令和2年12月16日(2020.12.16)
【手続補正１】
【補正対象書類名】特許請求の範囲
【補正対象項目名】全文
【補正方法】変更
【補正の内容】
【特許請求の範囲】
【請求項１】
ポリマー複合体であって、
熱可塑性ポリマーのネットワーク構造と、
前記熱可塑性ポリマーのネットワーク構造内に分散された軟強磁性粒子材料と、を含み、前記軟強磁性粒子材料の重量分率が、前記ポリマー複合体の総重量に基づいて、０．８０〜０．９８であり、前記熱可塑性ポリマーは、５×１０４ｇ／モル〜５×１０７ｇ／モルの数平均分子量を有する、ポリマー複合体。
【請求項２】
前記熱可塑性ポリマーのネットワーク構造が塑性変形されており、任意に、前記熱可塑性ポリマーのネットワーク構造が、圧縮力及び引張力のうちの少なくとも１つによって塑性変形されている、請求項１に記載のポリマー複合体。
【請求項３】
前記ポリマー複合体の密度が、１．５ｇ／ｃｍ３〜６ｇ／ｃｍ３である、請求項１に記載のポリマー複合体。
【請求項４】
前記軟強磁性粒子材料が、軟強磁性粒子フレーク材料であり、各フレークは、第１主面と、前記フレークの前記第１主面に対して垂直な厚さと、を有し、任意に、前記軟強磁性粒子フレーク材料のフレークが、メジアン径Ｄ５０及びメジアン最大厚さＴｍを有し、メジアンアスペクト比Ｄ５０／Ｔｍが、５／１〜１０００／１である、請求項１に記載のポリマー複合体。
【請求項５】
前記軟強磁性粒子フレーク材料のフレークが、メジアン径Ｄ５０を有し、前記熱可塑性ポリマーのネットワーク構造が、平均孔径Ｐを有し、Ｄ５０＞２Ｐであり、任意に、Ｄ５０が、２５マイクロメートル〜５０００マイクロメートルであり、Ｐが、５０ナノメートル〜２５マイクロメートルである、請求項４に記載のポリマー複合体。
【請求項６】
前記軟強磁性粒子材料が、Ｆｅ−Ｃｒ合金、Ｆｅ−Ｓｉ合金、ＦｅＣｏＢ、Ｆｅ系非晶質合金、ナノ結晶質Ｆｅ系酸化物及びナノ結晶質Ｆｅ系窒化物、ニッケル系合金、ＣｏＮｂＺｒ並びにホウ素系非晶質合金のうちの少なくとも１つである、請求項１に記載のポリマー複合体。
【請求項７】
前記熱可塑性ポリマーが、ポリウレタン、ポリエステル、ポリアミド、ポリエーテル、ポリカーボネート、ポリイミド、ポリスルホン、ポリフェニレンオキシド、ポリアクリレート、ポリメタクリレート、ポリオレフィン、スチレン及びスチレン系ランダムコポリマー及びブロックコポリマー、塩素化ポリマー、フッ素化ポリマー、並びにエチレン及びクロロトリフルオロエチレンのコポリマーのうちの少なくとも１つを含む、請求項１に記載のポリマー複合体。
【請求項８】
前記熱可塑性ポリマーが、１２０℃〜２００℃の間に少なくとも１つの融点を有する、請求項１に記載のポリマー複合体。
【請求項９】
前記ポリマー複合体は、第１主面と、２０マイクロメートル〜５０００マイクロメートルの厚さと、を有するシートの形態であり、任意に、前記軟強磁性粒子材料が、軟強磁性粒子フレーク材料であり、各フレークが、第１主面と、前記フレークの前記第１主面に対して垂直な厚さと、を有し、前記フレークの前記第１主面の大部分が、隣接する前記ポリマー複合体シートの第１主面に対して少なくとも２５度以内になるように配向されている、請求項１に記載のポリマー複合体。
【請求項１０】
前記ポリマー複合体が２０マイクロメートル〜３００マイクロメートルの厚さを有するシートの形態である場合、前記ポリマー複合体が、１０ｍｍの曲率半径を形成するように曲がることができる、請求項１に記載のポリマー複合体。
【請求項１１】
前記軟磁性粒子材料の保磁力が１０００Ａ／ｍ以下であるか、磁気飽和誘導が６００ｍＴ〜１０００ｍＴであるか、又は１ＭＨｚにおける比透磁率の大きさが７０よりも大きい、請求項１に記載のポリマー複合体。
【請求項１２】
前記軟強磁性粒子材料の体積分率が、前記ポリマー複合体の総体積に基づいて、０．１０〜０．８０である、請求項１に記載のポリマー複合体。
【請求項１３】
第１主面を有するポリマー複合体シートの製造方法であって、
５×１０４ｇ／モル〜５×１０７ｇ／モルの数平均分子量を有する熱可塑性ポリマー、前記熱可塑性ポリマーが可溶である溶媒、及び軟強磁性粒子材料を準備することと、
前記熱可塑性ポリマー、前記溶媒及び前記軟強磁性粒子材料を混合して、前記軟強磁性粒子材料を含有する混和性熱可塑性ポリマー溶媒溶液を形成することと、
前記軟強磁性粒子を含有する前記熱可塑性ポリマー溶媒溶液をシートに形成することと、
前記溶媒からの前記熱可塑性ポリマーの相分離を誘起することと、
前記溶媒の少なくとも一部分を除去し、それにより、熱可塑性ポリマーのネットワーク構造と、前記熱可塑性ポリマーのネットワーク構造内に分散された軟強磁性粒子材料とを有するポリマー複合体シートを形成することを含み、前記軟強磁性粒子材料の重量分率が、前記ポリマー複合体シートの総重量に基づいて、０．８０〜０．９８であり、任意に、前記相分離を誘起する工程が、熱誘起相分離及び溶媒誘起相分離のうちの少なくとも１つを含む、製造方法。
【請求項１４】
前記混合する工程が、２０℃〜３００℃の温度で実施され、任意に、前記相分離を誘起する工程が、前記混合する工程の温度より５℃〜３００℃低い温度で実施される、請求項１３に記載のポリマー複合体シートの製造方法。
【請求項１５】
前記形成する工程が、押出成形、ロールコーティング及びナイフコーティングのうちの少なくとも１つによって実施される、請求項１３に記載のポリマー複合体シートの製造方
法。
【請求項１６】
前記溶媒を前記除去する工程の後に、圧縮力及び引張力のうちの少なくとも１つを適用し、これにより、前記ポリマー複合体シートを高密度化すること、を更に含む、請求項１３に記載のポリマー複合体シートの製造方法。
【請求項１７】
粒子分率が５２体積％超であり、前記ポリマー複合体シートの保磁力が２４０Ａ／ｍ以下であり、任意に、前記ポリマー複合体シートの保磁力が２００Ａ／ｍ以下である、請求項１に記載のポリマー複合体。
【請求項１８】
圧縮力の適用と同時に、振動エネルギーを前記ポリマー複合体シートに適用すること、を更に含み、場合により、前記振動エネルギーは、超音波エネルギーである、請求項１３に記載のポリマー複合体シートの製造方法。
【手続補正書】
【提出日】令和3年6月21日(2021.6.21)
【手続補正１】
【補正対象書類名】特許請求の範囲
【補正対象項目名】全文
【補正方法】変更
【補正の内容】
【特許請求の範囲】
【請求項１】
パピローマウイルスＬ１タンパク質、および
リンカーと抗原とを含む標的ペプチド、
を含むウイルス様粒子（ＶＬＰ）であって、
前記抗原が少なくとも１つのＴ細胞エピトープを含み、
前記標的ペプチドが前記ＶＬＰに連結されており、
前記Ｔ細胞エピトープが病原体に由来する、
ウイルス様粒子（ＶＬＰ）。
【請求項２】
（ａ）前記リンカーが少なくとも１つの切断部位を含み、前記切断部位が前記ＶＬＰと前記抗原との間に存在する；または
（ｂ）前記抗原がパピローマウイルス抗原ではない；または
（ｃ）前記Ｌ１タンパク質が、パピローマウイルスの少なくとも２つの異なる株に由来するペプチド配列を含むハイブリッドＬ１タンパク質である、
請求項１に記載のＶＬＰ。
【請求項３】
（ａ）前記標的ペプチドが、抱合によって前記Ｌ１タンパク質に連結されており、前記抗原が、前記Ｌ１タンパク質のＤＥループ、ＨＩループまたはヘリックスＢ４ループのうちの１つまたは複数に抱合されている；または
（ｂ）前記標的ペプチドが、前記Ｌ１タンパク質のシステイン残基、リジン残基またはアルギニン残基を介した前記Ｌ１タンパク質への抱合によって連結されている；または
（ｃ）前記標的ペプチドが、前記Ｌ１タンパク質と前記抗原の残基との間の共有結合により前記Ｌ１タンパク質に抱合されている；または
（ｄ）前記抗原が、１つ以上の小児期疾患に対する、小児に接種するための少なくとも１つのワクチンに由来する；または
（ｅ）前記抗原が腫瘍関連抗原ではない；または
（ｆ）前記抗原がウイルス抗原ペプチド、細菌抗原ペプチド、寄生虫抗原ペプチド、または真菌抗原ペプチドである、
請求項１または２に記載のＶＬＰ。
【請求項４】
前記少なくとも１つのＴ細胞エピトープが、配列番号１〜２０４のうちの１つ以上を含む；および／または
前記Ｌ１タンパク質の配列が、配列番号２２１または配列番号２２２を含む、
請求項１〜３のいずれか１項に記載のＶＬＰ。
【請求項５】
（ａ）前記抗原が少なくともウイルス抗原であり、前記ウイルス抗原が、ワクシニア、水痘帯状疱疹、帯状疱疹、風疹、肝炎、インフルエンザ、麻疹、ムンプス、ポリオウイルス、痘瘡、狂犬病、デング熱、エボラ出血熱、ウエストナイル熱、黄熱病、またはジカ熱のうちの１つ以上に由来する；または
（ｂ）前記抗原が少なくとも細菌抗原ペプチドであり、前記細菌抗原が、ｂｏｒｄａｔｅｌｌａ  ｐｅｒｔｕｓｓｉｓ、破傷風菌、ｃｈｌａｍｙｄｉａ  ｔｒａｃｈｏｍａｔｉｓ、Ｃｏｒｙｎｅｂａｃｔｅｒｉｕｍ  ｄｉｐｈｔｈｅｒｉａｅ、インフルエンザ菌、Ｎｅｉｓｓｅｒｉａ  ｍｅｎｉｎｇｉｔｉｄｉｓ、Ｓｔｒｅｐｔｏｃｏｃｃｕｓ、コレラ菌、結核菌、Ｂａｃｉｌｌｕｓ  Ｃａｌｍｅｔｔｅ−Ｇｕｅｒｉｎ、ｓａｌｍｏｎｅｌｌａ、大腸菌、Ｌｅｇｉｏｎｅｌｌａ  ｐｎｅｕｍｏｐｈｉｌａ、Ｒｉｃｋｅｔｔｓｉａ、Ｔｒｅｐｏｎｅｍａ  ｐａｌｌｉｄｕｍ  ｐａｌｌｉｄｕｍ、炭疽菌、Ｃｌｏｓｔｒｉｄｉｕｍ  ｂｏｔｕｌｉｎｕｍ、およびＹｅｒｓｉｎｉａのうちの１つ以上に由来する；または
（ｃ）前記抗原が少なくとも寄生虫抗原ペプチドであり、前記寄生虫抗原が、Ｅｎｔａｍｏｅｂａ  ｈｉｓｔｏｌｙｔｉｃａ、トキソプラズマ、Ｔｒｉｃｈｉｎｅｌｌａ、Ｔｒｉｃｈｏｍｏｎａｓ、Ｔｒｙｐａｎｏｓｏｍａ、およびＰｌａｓｍｏｄｉｕｍのうちの１つ以上に由来する；
請求項１〜４のいずれか１項に記載のＶＬＰ。
【請求項６】
前記Ｌ１タンパク質が、パピローマウイルス科のＬ１タンパク質である、請求項１〜５のいずれか１項に記載のＶＬＰ。
【請求項７】
前記リンカーが少なくとも１つの切断部位を含み、
前記切断部位が、
（ａ）配列番号２０９〜２１３のうちのいずれか１つまたは複数である；または
（ｂ）フューリン切断配列、マトリックスメタロプロテアーゼ切断配列、またはＡＤＡＭ切断配列である、
請求項２〜６のいずれか１項に記載のＶＬＰ。
【請求項８】
前記切断部位で前記リンカーを認識および切断するプロテアーゼが前記ＶＬＰに接触すると前記抗原が前記ＶＬＰから放出される、請求項２〜７のいずれか１項に記載のＶＬＰ。
【請求項９】
腫瘍微小環境における前記ＶＬＰからの前記抗原の放出が、腫瘍細胞表面に存在する主要組織適合性（ＭＨＣ）分子と前記抗原との複合体形成をもたらし、これにより、Ｔ細胞の活性化がもたらされ且つ腫瘍細胞の成長、増殖および／または転移の阻害がもたらされる、請求項８に記載のＶＬＰ。
【請求項１０】
前記標的ペプチドが、前記Ｌ１タンパク質のシステイン残基、リジン残基および／またはアルギニン残基に抱合されており、前記Ｌ１タンパク質のシステイン残基、リジン残基および／またはアルギニン残基の少なくとも３０％または約３５％〜約１００％が、標的ペプチドに抱合されている、請求項４〜９のいずれか１項に記載のＶＬＰ。
【請求項１１】
それを必要とする対象において腫瘍の成長、腫瘍の進行または腫瘍の転移を阻害するための医薬の製造における使用のための、請求項１〜１０のいずれか１項に記載のＶＬＰ。
【請求項１２】
それを必要とする対象において癌を処置するための医薬組成物であって、請求項１〜１０のいずれか１項に記載のＶＬＰを有効成分として含む、医薬組成物。
【請求項１３】
腫瘍組織サンプルを前記対象から取得すること；および
前記腫瘍組織サンプルにおいて１つ以上の腫瘍細胞が発現する１つ以上のＭＨＣ分子の配列を前記腫瘍組織において特定すること；
をさらに含む、請求項１１または請求項１２に記載の組成物。
【請求項１４】
前記対象は、以前に病原体に感染したか病原体に対するワクチンの接種を受けた対象であり、前記Ｔ細胞エピトープは、前記病原体によって発現されるものである、請求項１１〜１３のいずれか１項に記載の組成物。
【請求項１５】
前記抗原は、前記対象から取得された腫瘍組織サンプルにおいて１つ以上の腫瘍細胞が発現する１つ以上のＭＨＣ分子と複合体を形成するエピトープを含む、請求項１１〜１４のいずれか１項に記載の組成物。